(57)【要約】  混みあった場所での車両の誤加速を防止するためのガレージモード制御ユニット、制御システム、及び制御方法を開示する。車両環境情報を受信し、車両環境情報に基づいて車両が混みあった場所にあるか否かを判定し、車両が混みあった場所にあると判定された場合に、ガレージモードで車両の制御を行う。【選択図】  なし【特許請求の範囲】
【請求項１】
車両環境情報及び車両状態情報を含む検出情報を受信する情報送信ポートと、
前記車両環境情報に基づいて、車両が混みあった場所にあるか否かを判定し、前記車両が混みあった場所にあると判定した場合、ガレージモード制御信号を生成し、前記情報送信ポートを介して前記ガレージモード制御信号を発信する内部処理モジュールとを備え、
前記ガレージモード制御信号は、ガレージモードトリガ信号と、ガレージモードの車両制御パラメータと、を含むガレージモード制御ユニット（１０）。
【請求項２】
前記車両環境情報は、駐車レーダ信号を含み、さらに、任意のカメラ情報、ＧＰＳ情報及び車両離間センサ情報を含んでいてもよい請求項１に記載のガレージモード制御ユニット（１０）。
【請求項３】
前記車両環境情報は、さらに、周囲輝度信号及び／又は雨量センサ信号を含む請求項２に記載のガレージモード制御ユニット（１０）。
【請求項４】
前記車両状態情報は、制動トルク、動力源トルク、動力源回転速度、車速、車輪速度、現在のギア、アクセルペダルの開度、制動信号スイッチ、及びハンドルの回転角に関する情報のうちのいくつか、好ましくは全てを含み、
前記車両状態情報は、さらに、車輪加速度、変速比及び中心差動トルクを含んでいてもよい請求項１から３までのいずれか１項記載のガレージモード制御ユニット（１０）。
【請求項５】
前記車両制御パラメータは、車速制限値、目標ギア、動力源目標トルク、及び目標制動力を含み、
前記車両制御パラメータは、主に、前記車両状態情報に基づいて決定され、前記車両環境情報の要因も考慮に入れることができ、
好ましくは、前記内部処理モジュールは、前記車両状態情報に基づいて前記車両制御パラメータを自動的に調整する請求項１から４までのいずれか１項記載のガレージモード制御ユニット（１０）。
【請求項６】
前記車両が前進しているときの前記車速制限値は、時速約２０ｋｍであり、前記車両が後退しているときの前記車速制限値は、時速約５〜１０ｋｍであり、
任意で、前記内部処理モジュールは、前記車両環境情報に基づいて前記車速制限値を調整する請求項５に記載のガレージモード制御ユニット（１０）。
【請求項７】
前記内部処理モジュールが、前記車速が前記車速制限値に向かって増加していると決定し、前記車速制限値を超える傾向を示すと決定した場合、車両制動システムを起動して前記車両を制動するために信号も発信される請求項５又は６に記載のガレージモード制御ユニット（１０）。
【請求項８】
前記ガレージモード制御信号は、さらに、運転者がアクセルペダルを踏み込んでいない場合、車両制動システムを制動待機状態、特に、臨界制動状態に設定することを含む請求項１から７までのいずれか１項記載のガレージモード制御ユニット（１０）。
【請求項９】
前記ガレージモード制御信号は、さらに、前記ガレージモードについて運転者に促すための音声及び／又は映像信号を含む請求項１から８までのいずれか１項記載のガレージモード制御ユニット（１０）。
【請求項１０】
前記ガレージモード制御ユニット（１０）は、信号伝送を可能にする方法で車両データバス（３）に接続され、車両制御ユニット（４）に統合されるか、又は信号伝送を可能にする方法で前記車両制御ユニット（４）に接続され、前記車両制御ユニット（４）は、
全車両制御ユニット、又は
車両駆動電気機械及び／又はエンジンの管理ユニット等の車両動力源管理ユニット、又は
電子車体安定システムである請求項１から９までのいずれか１項記載のガレージモード制御ユニット（１０）。
【請求項１１】
請求項１から１０までのいずれか１項記載のガレージモード制御ユニット（１０）と、それぞれ、前記ガレージモード制御ユニット（１０）に信号伝送を可能にする方法で接続された情報検出要素（１）と、ヒューマンマシンインターフェース（２）と、を備えるガレージモード制御システム。
【請求項１２】
好ましくは請求項１から１０までのいずれか１項記載のガレージモード制御ユニット（１０）又は請求項１１に記載のガレージモード制御システムによって実施されるガレージモード制御方法であって、
車両環境情報を受信することと、
前記車両環境情報に基づいて、車両が混みあった場所にあるか否かを判定することと、
前記車両が混みあった場所にあると判定された場合、前記車両をガレージモードで制御することと、を含むガレージモード制御方法。
【発明の詳細な説明】
【技術分野】
【０００１】
本出願は、混みあった場所における車両の誤加速を防止するためのガレージモード制御ユニット、制御システム及び制御方法に関する。
【背景技術】
【０００２】
周知のように、ガレージ等の駐車場又はその他の混みあった場所での車両の駐車時、運転者によっては、緊張や経験不足に起因して方向感覚を失い、その時に操舵しているハンドルの操舵角に気づかず、ブレーキペダルと間違えてアクセルペダルを踏み込んでしまう場合がある。こうした状況は、車両の制御の喪失となり、事故を起しやすい。さらに、運転者は、車両駐車時に、車両が予想した方向に移動しないことに気づき、及び車両を制動してから車両の移動方向を変化させたいが、アクセルペダルを急に踏み込んでしまい、車両を誤った方向に加速させることがある。この結果、車両が、近くの車両、設備、又は人々にさえも突っ込む可能性が高い。
【０００３】
従来技術の自動運転システム及び自動駐車システムは、駐車時の予想外な加速を防止することができる。しかしながら、これらのシステムは、概して、常に高価であるため、車両の販売価格が上がる結果となる。また、緊急時に自動的に車両を制動することができる自動緊急制動システムもあるが、このようなシステムは、駐車時の予想外の加速を回避することができるものの、受動的な是正技術に過ぎず、運転者に不快感や恐怖を与える。
【０００４】
また、運転者が混みあった場所から車両を移動する際にブレーキペダルと間違えてアクセルペダルを踏み込んだことから、しばしば事故が発生することがあることも指摘しておかなければならない。
【発明の概要】
【発明が解決しようとする課題】
【０００５】
本出願の目的は、混みあった場所で車両を制御する際の誤加速を積極的に回避できるガレージモード制御技術を低コストで提供することにある。
【課題を解決するための手段】
【０００６】
この目的を達成するために、本出願の一態様によれば、車両環境情報及び車両状態情報を含む検出情報を受信する情報送信ポートと、
車両の環境情報に基づいて、車両が混みあった場所にあるか否かを判定し、車両が混みあった場所にあると判定した場合、ガレージモード制御信号を生成し、前記情報送信ポートを介して前記ガレージモード制御信号を発信する内部処理モジュールとを備え、
前記ガレージモード制御信号は、ガレージモードトリガ信号と、ガレージモードの車両制御パラメータと、を含むガレージモード制御ユニットを提供する。
【０００７】
１つの実現可能な実施形態によれば、前記車両環境情報は、駐車レーダ信号を含む。
【０００８】
１つの実現可能な実施形態によれば、前記車両環境情報は、さらに、任意のカメラ情報、ＧＰＳ情報、及び車両離間センサ情報を含む。
【０００９】
１つの実現可能な実施形態によれば、前記車両環境情報は、さらに、周囲輝度信号及び／又は雨量センサ信号を含む。
【００１０】
１つの実現可能な実施形態によれば、前記車両状態情報は、制動トルク、動力源トルク、動力源回転速度、車速、車輪速度、現在のギア、アクセルペダルの開度、制動信号スイッチ、及びハンドルの回転角度に関する情報のうちのいくつか、好ましくは、これら全てを含む。
【００１１】
１つの実現可能な実施形態によれば、さらに、前記車両状態情報は、車輪加速度、変速比及び中心差動トルクを含む。
【００１２】
１つの実現可能な実施形態によれば、前記車両制御パラメータは、車速制限値、目標ギア、動力源目標トルク、及び目標制動力を含み、前記車両制御パラメータは、主に、前記車両状態情報に基づいて決定される（及び、前記車両環境情報の要因も考慮に入れることができる）。
【００１３】
１つの実現可能な実施形態によれば、前記内部処理モジュールは、前記車両状態情報に基づいて前記車両制御パラメータを自動的に調整する。
【００１４】
１つの実現可能な実施形態によれば、前記車両が前進しているときの車速制限値は、時速約２０ｋｍであり、前記車両が後退しているときの車速制限値は、時速約５〜１０ｋｍである。
【００１５】
１つの実現可能な実施形態によれば、前記内部処理モジュールは、前記車両環境情報に基づいて前記車速制限値を調整する。
【００１６】
１つの実現可能な実施形態によれば、前記内部処理モジュールが、前記車速が車速制限値に向かって増加していると判定し、前記車速制限値を超える傾向を示すと判定した場合、車両制動システムを起動して前記車両を制動するために信号も発信される。
【００１７】
１つの実現可能な実施形態によれば、前記ガレージモード制御信号は、さらに、運転者がアクセルペダルを踏み込んでいない場合、車両制動システムを制動待機状態、特に、臨界制動状態に設定することを含む。
【００１８】
１つの実現可能な実施形態によれば、前記ガレージモード制御信号は、さらに、前記ガレージモードについて運転者に促すための音声及び／又は映像信号を含む。
【００１９】
１つの実現可能な実施形態によれば、前記ガレージモード制御ユニットは、信号伝送を可能にする方法で車両データバスに接続され、車両制御ユニットに統合されるか、又は信号伝送を可能にする方法で前記車両制御ユニットに接続され、前記車両制御ユニットは、全車両制御ユニット、又は車両駆動電気機械及び／若しくはエンジンの管理ユニット等の車両動力源管理ユニット、又は電子車体安定システムである。
【００２０】
本出願の他の態様によれば、上述のガレージモード制御ユニットと、それぞれ、前記ガレージモード制御ユニットに信号伝送を可能にする方法で接続された情報検出要素及びヒューマンマシンインターフェースと、を備えるガレージモード制御システムが提供される。
【００２１】
本出願の他の態様によれば、車両環境情報を受信することと、前記車両環境情報に基づいて、車両が混みあった場所にあるか否かを判定することと、前記車両が混みあった場所にあると判定された場合、前記車両をガレージモードで制御することと、を含むガレージモード制御方法が提供される。
【００２２】
本出願のガレージモード制御方法は、上述したガレージモード制御ユニット又はガレージモード制御システムによって実施されてもよい。したがって、前記ガレージモード制御ユニット又は前記ガレージモード制御システムに関連して上述した様々な特徴が、前記ガレージモード制御方法に適用されてもよい。
【発明の効果】
【００２３】
本出願によれば、ほとんどの場合、車両の既存のハードウェアを使用して、混みあった場所での車両の制御における誤加速を積極的に回避し、したがって、この機能を追加することに起因する車両コストの増大の問題を回避する、又は少なくとも軽減することができる。さらに、本出願では、前記車両の加速を抑制することにより、前記車両の誤加速が積極的に防止されるので、混みあった場所における前記車両の制御時に、安全性をより確実に向上させることができる。
【図面の簡単な説明】
【００２４】
本出願の上述の及び他の態様は、添付の図面を参照することにより、以下の詳細な説明を通じてさらに完全に理解できよう。
【図１】本出願によるガレージモード制御技術の略図である。
【図２】本出願の実現可能な実施形態によるガレージモード制御システムの略ブロック図である。
【図３】本出願の実現可能な実施形態によるガレージモード制御方法の略フローチャートである。
【発明を実施するための形態】
【００２５】
本出願は、概ね、混みあった場所にあるときに車両の予想外の加速を積極的に防止するための技術に関する。混みあった場所は、ガレージのような駐車場、歩行者の密集度の高い地域等を含む、即ち、混みあった場所は、車両制御の難易度が高い場所である。
【００２６】
本願の技術は、図１に示されるガレージモード制御ユニット１０により実現される。ガレージモード制御ユニット１０は、情報送信ポートと内部処理モジュールを有し、ガレージモード制御ユニット１０は、情報送信ポートを介して検出情報Ａ１、Ａ２、Ａ３...Ａｉを受信し、内部処理モジュールのアルゴリズムを使って、検出情報のこれらの項目に基づいてガレージモード制御信号Ｃ１、Ｃ２、Ｃ３...Ｃｋを生成し、情報送信ポートを介してガレージモード制御信号を発信する。
【００２７】
具体的には、検出情報Ａ１〜Ａｉは、車両環境情報及び車両状態情報を含むことができる。
【００２８】
車両環境情報を使って、車両が、運転者がかなり注意を払って車両を制御しなければならないような混みあった場所にあるかどうかを判定してガレージモードを起動するかどうかを判定してもよい。例えば、車両環境情報は、駐車レーダ信号、周囲輝度信号（周囲輝度のレベルが低いと運転者の視野が限られてきて車両制御の難易度が増す）、雨量センサ信号（雨量が多いと運転者の視界を遮り、車両制御の難易度が増す）等を含んでいてもよい。
【００２９】
車両状態情報を使ってガレージモードにある車両制御パラメータを決定してもよい。例えば、前記車両状態情報は、制動トルク、動力源トルク、動力源回転速度、車速、車輪速度、現在のギア、アクセルペダルの開度、制動信号スイッチ、及びハンドルの回転角度を含む。加えて、前記車両状態情報は、さらに、車輪加速度、変速比及び中心差動トルク等を含んでいてもよい。
【００３０】
さらに、ガレージモード制御ユニット１０の性能を改善するため、追加の検出情報Ｂ１、Ｂ２...Ｂｊを受信してもよい。これらの追加検出情報Ｂ１〜Ｂｊの項目は任意であるが、必須ではなく、例えば、ガレージモードを起動するかどうかをより確実に判定するための追加車両環境情報、即ち、カメラ情報、ＧＰＳ情報、車両離間センサ情報等を含んでもよい。
【００３１】
ガレージモード制御ユニット１０によって生成されるガレージモード制御信号Ｃ１〜Ｃｋは、ガレージモードトリガ信号と、ガレージモードにおける車両制御パラメータとを含んでいてもよい。車両制御パラメータは、車速制限値、目標ギア、動力源目標トルク、目標制動力（例えば、目標制動流動速度）等を含んでいてもよい。
【００３２】
ガレージモード制御ユニット１０は、データＡ１〜Ａｉに基づいてガレージモードを起動する必要があるかどうかを判定する。具体的にはガレージモード制御ユニット１０は、車両が混みあった場所にあるかどうかを車両環境情報に基づいて確認する（そしてその場所における車両制御の難易度を判定してもよい）。車両が混みあった場所にあると判定されたら、ガレージモード制御ユニット１０は、ガレージモードトリガ信号を発信して車両をガレージモードにする。ガレージモード制御ユニット１０は、次に、車両状態情報に基づいてガレージモードにおける車両制御パラメータを決定する。
【００３３】
車両制御パラメータは、主として車両状態情報に基づいて決定され、また、車両環境情報の要素（特に、周囲輝度、雨量等）を考慮に入れてもよい。
【００３４】
前記内部処理モジュールは、リアルタイムで更新される車両状態情報に基づいて車両制御パラメータを自動的にリアルタイムで調整することができる。
【００３５】
ガレージモードの車両制御パラメータは、車両が前進及び後退しているときの車速制限値を含んでいてもよい。例えば、車両の前進状態では、最大車速は、大部分のガレージにおける車速制限値でもある時速約２０ｋｍに制限されてもよい。車両の後退状態では、最大車速は、各車両モデル固有の較正値である、時速約５〜１０ｋｍに制限されてもよい。ガレージモードの車速制限値の具体的な値は、ガレージモード制御ユニット１０によって、その場所の車両制御の難易度に応じて調整してもよいことを指摘しておく必要があろう。例えば、物体が車両の近傍に近接して存在する場合（例えば他の車両又は設備若しくは人）、又はその場所における周囲輝度が低い場合、又は雨量が多い場合等に、ガレージモード制御ユニット１０は、車速制限値を減少させる。
【００３６】
車速制限値を設定することで、運転者がブレーキペダルと間違えてアクセルペダルを踏み込んだ場合であっても、車両が急に加速できなくなることが確実になる。車両の動力源目標トルク（例えば、エンジン出力トルク、電気車両又はハイブリッド車両の電気機械出力トルク等）を制御することにより、車速を最適な速度制限内に維持することができる。必要に応じて、例えば、車速が車速制限値に向かって増加し、車速制限値を超える傾向を示す場合、車速は、車両制動システムの制動操作（目標制動力を実現する）によって抑制してもよい。
【００３７】
制動システムの操作を迅速かつ確実なものとするため、ガレージモード制御ユニット１０がガレージモードトリガ信号を発信し、ガレージモードに入ると、運転者がアクセルペダルを踏み込んでいない場合には、制動システムは、例えば、ブレーキキャリパとブレーキディスクとの間のギャップが低減、又はほぼゼロ（ほぼ接触）になるように、制動待機状態に入ってもよい。
【００３８】
ガレージモードでは、運転者が突発的な力でアクセルペダルを踏み込むと、ガレージモード制御ユニット１０は、アクセルペダルの開度と、アクセルペダルの開度の変化率が対応する閾値より大きいこととに基づいて運転者が誤操作を行ったと判定して、加速操作を行わない。
【００３９】
本出願では、ガレージモード制御システムを構築する基礎としてガレージモード制御ユニット１０を使用する。図２に示すようにガレージモード制御システムは、主として、ガレージモード制御ユニット１０と、情報検出要素１と、ヒューマンマシンインターフェース２と、それぞれがガレージモード制御ユニット１０に信号伝送を可能にする方法で接続された車両データバス３及び車両制御ユニット４と、信号伝送を可能にする方法で車両制御ユニット４に接続された車両制動システム５とを備える。
【００４０】
ガレージモード制御ユニット１０は、情報検出要素１と車両データバス３から、検出情報Ａ１〜Ａｉ（及び可能な追加の検出情報Ｂ１、Ｂ２...Ｂｊ）を取得する。情報検出要素１は、対応する検出情報を受信するために、駐車レーダ、周囲輝度センサ、雨量センサ（そして可能なカメラ、ＧＰＳ受信機、車両離間センサ）等を備えていてもよい。他の検出情報は、車両データバス３及び／又は車両制御ユニット４から取得してもよい。
【００４１】
ヒューマンマシンインターフェース２はガレージモードのプッシュボタンと、音声及び／又は映像のプロンプト要素等を備えていてもよい。運転者は、ガレージモードのプッシュボタンを押すことによって手動でガレージモードを起動したり、或いは強制的にガレージモードを終了したりすることができる。音声及び／又は映像のプロンプト要素は、車両の既存のサウンドシステム及び／又は表示画面でもよい。ガレージモード制御ユニット１０がガレージモードトリガ信号を発信したら、対応するプロンプトが音声及び／又は映像のプロンプト要素によって運転者に向けて発信され、現状に注意を払い、急激にアクセルペダルを踏み込まないように等、運転者に再認識を促してもよい。ガレージモード制御システムが車両に対してガレージモードを適用する必要がないと運転者が考える場合には、運転者はガレージモードのプッシュボタンによってガレージモードを強制的に終了することができる。
【００４２】
車両制御ユニット４は、車両動力出力（場合によっては、駆動系の状態、伝達ギア等も備える）と、車両制動システム５の操作を制御できる全車両制御ユニットを備えていてもよい。
【００４３】
代替の実施形態によれば、車両制御ユニット４は、車両の動力源の動力出力を制御するための車両動力源管理ユニット（例えば、エンジン管理ユニット）を備える。この実施形態では、ガレージモード制御ユニット１０は、車両制動システム５に、信号伝送を可能にする方法で接続して、車両制動システム５の操作を直接制御してもよい。
【００４４】
別の代替の実施形態によれば、車両制御ユニット４は、車両動力出力と車両制動システム５の操作を制御できる電子車体安定システムを備える。
【００４５】
任意で、ガレージモード制御ユニット１０は（ハードウェア及び／又はソフトウェアの形態の）車両制御ユニット４の一部として構築してもよい。
【００４６】
当業者であれば、本出願の原理に基づいて、ガレージモード制御ユニット１０が車両の動力源の出力と車両制動システム５の操作を直接又は間接的に制御する様々な解決策が構築できることが理解できよう。
【００４７】
本出願は、さらに、上述したガレージモード制御ユニット１０を介して、及び／又は上述したガレージモード制御システムによって実行可能なガレージモード制御方法を提供する。
【００４８】
図３は、下記に示すように本出願のガレージモード制御方法の手順の例示を示す。
【００４９】
ステップＳ１では、ガレージモード制御プログラムを開始する。このプログラムは車両が始動すると自動的に実行することができる。
【００５０】
次に、ステップＳ２では、車両環境情報を収集する（例えば、上記の情報検出要素１、車両データバス３及び／又は車両制御ユニット４によって取得する）。
【００５１】
次に、ステップＳ３では、車両が混みあった場所にいるかどうかを車両環境情報（制御の難易度の要素も考慮に入れる）に基づいて判定する。判定の結果が否定の場合にはステップＳ７へ進み、判定の結果が肯定の場合にはステップＳ４に進む。
【００５２】
ステップＳ４では、ガレージモードトリガ信号を発信し、（例えば、上述した音声及び／又は映像のプロンプト要素によって）運転者にプロンプトが発信される。
【００５３】
次に、ステップＳ５では、ガレージモードに入り、車両状態情報が収集され、車速制限値に基づいて、ガレージモード制御信号が決定され、ガレージモード制御信号に基づいて車両動力源の動力出力、駆動系の状態、及びトランスミッションギアが制御される（そして、車両制動システム５が、場合によっては制動待機状態に入る又は維持するように制御され、車両制動システム５が必要な場合に車両を制動する）。ガレージモードは運転者が（例えば、上述のヒューマンマシンインターフェース、特に、ガレージモードのプッシュボタンを介した入力によって）強制的に開始できることを指摘する必要があろう。
【００５４】
次に、ステップＳ６で、ガレージモードを強制的に終了するよう指示があるかどうか（例えば、運転者がヒューマンマシンインターフェース、特に、ガレージモードのプッシュボタンを介して入力したかどうか）を判定する。判定の結果が否定の場合にはステップＳ２へ戻り、判定の結果が肯定の場合にはステップＳ７に進む。
【００５５】
ステップＳ７では、ガレージモードを終了し、遅延ステップＳ８の後に、ステップＳ２へ戻る。遅延ステップＳ８における遅延は２、３分又はそれ以上でよく、調整可能に設計されてもよい。
【００５６】
本出願の原理に基づいて、当業者がガレージモード制御方法で使用する様々な固有の工程を構築できることは理解できよう。
【産業上の利用可能性】
【００５７】
本出願のガレージモード制御方法、ガレージモード制御ユニット、及びガレージモード制御システムは、主に、車両の既存のハードウェアを使用して、車両制御の難易度が高い場所での車両の制御において誤加速を積極的に回避するものであり、この目的のために新しい装置を追加する必要がなく、（或いは、余分な数の装置を追加する必要がなく）、したがって、この機能を追加することに起因する車両コストの増大の問題を回避／緩和できることがわかる。さらに、本出願では、車両の加速を抑制することにより、車両の誤加速が積極的に防止される（補助ブレーキを使用する必要があり得る）ので、車両制御の難易度が高い場所における車両の制御時に、安全性をより確実に向上させることができる。
【００５８】
上述した様々な特徴はガレージモード制御ユニット、制御システム及び制御方法に概ね適用できることが理解できよう。
【００５９】
本出願について、ここでは、特定の実施形態を参照しながら説明してきたが、本出願の範囲は、例示した詳細事項に制限されることはない。本出願の基本原理から逸脱することなく、様々な変更をこれらの詳細事項に加えてもよい。
【符号の説明】
【００６０】
１  情報検出要素
２  ヒューマンマシンインターフェース
３  車両データバス
４  車両制御ユニット
５  車両制動システム
１０  ガレージモード制御ユニット
【図１】
2021507432.tif 000002
【図２】
2021507432.tif 000003
【図３】
2021507432.tif 000004